(57)【要約】【課題】加熱効率の高い調理性能有する電気加熱調理器を提供すること。【解決手段】本体１と、加熱室３を形成し前面を開口２する内筐体４と、内筐体４の前方下部に設けられた軸支部６と、軸支部６による軸支により回転自在開閉する扉５と、扉５の内筐体４側に設けた網前方支持部１０と、内筐体４の両側に摺動穴１１を設け前後に摺動する網後方支持部１２と、網前方支持部１０と網後方支持部１２とにより支持され調理物を支持する網９と、網後方支持部１２の内筐体４の外方に遮蔽板１５とを備え、遮蔽板１５は、扉５が閉止状態において摺動穴１１を閉塞する構成とした電気加熱調理器とすることにより、摺動穴１１を遮蔽板１５で閉塞することにより摺動穴１１からの熱損失を防止し加熱効率を高めることになるので、加熱性を向上させることになり省エネルギーおよび調理時間の短縮となる。【選択図】図１
2011106766.tif 000002
【特許請求の範囲】
【請求項１】
本体と、加熱室を形成し前面を開口する内筐体と、前記内筺体の前方下部に設けられた軸支部と、前記軸支部による軸支により回転自在開閉する扉と、前記扉の前記内筺体側に設けた網前方支持部と、前記内筺体の両側に設けられた摺動穴と、前後に摺動する網後方支持部と、前記網前方支持部と前記網後方支持部とにより支持され調理物を支持する網と、前記網後方支持部の前記内筐体の外方に設けられ前記扉が閉止状態において前記摺動穴を閉塞する遮蔽板とを備えた電気加熱調理器。
【請求項２】
遮蔽板は、本体側壁と前記遮蔽板との距離が、本体前方側が本体後方側より小さくして傾斜させて設け、摺動穴の周囲に、前記遮蔽板へ向けたガイドを備え、前記ガイドはその本体前方側の幅がその本体後方側の幅より小さくし、扉閉止状態において前記ガイド端部が前記遮蔽板と互いに当接する請求項１に記載の電気加熱調理器。
【請求項３】
遮蔽板は、本体側壁と前記遮蔽板との距離が、本体前方側が本体後方側より小さくして傾斜させて設け、内筺体は摺動穴部分において、本体前方側の幅が本体後方側の幅より小さくし内筐体傾斜面を形成し、扉閉止状態において前記遮蔽板と前記内筐体傾斜面が互いに当接する請求項１に記載の電気加熱調理器。
【発明の詳細な説明】
【技術分野】
【０００１】
本発明は一般家庭で使用されると共にオーブントースター等のヒーターを備えた電気加熱調理器に関するものである。
【背景技術】
【０００２】
従来、この種の電気加熱調理器は、内筐体と扉との間の間隙を小さくし、空気の流通を少なくすることにより加熱効率を高くし、加熱性に優れた構成としている（例えば、特許文献１参照）。
【０００３】
図８は、特許文献１に記載された従来の電気加熱調理器を示すものである。図８に示すように、前面に開口５１を有する加熱室５２を形成する内筐体５０と、下部を内筐体５０に配置した軸支部５４により軸支され開口５１を回動開閉する扉５３と、内筐体５０内の上下に調理物を加熱する加熱手段として上ヒーター５５と下ヒーター５６を配置し、上ヒーター５５と下ヒーター５６の間には、調理物を載せる網５７を扉５３の内筐体５０側に設けた網前方支持部５８と内筐体５０の両側面に設けた摺動穴５９を前後に摺動する網後方支持部６０とに固定し配置している。網５７は扉５３の開放により網前方支持部５８が前方へ移動することにより同様に前方に移動する。このとき、網後方支持部６０は摺動穴５９内を後方から前方へ移動する。軸支部５４に対向する内筐体５０には、扉５３の下端の回動軌跡より大きな凹部６１を設け、扉５３で開口５１を閉じたとき内筐体５０と扉５３の軸支部５４以外の部分との間隙が軸支部５４での内筐体５０と扉５３の間隙より小さくなるように設定している。また、網後方支持部６０には網後方支持部６０を本体後方側へ引きつける作用するコイルバネ６２を接続しており、網５７、網前方支持部５８との連結によりコイルバネ６２で閉止時の扉５３を開口５１へ引きつける構成としている。
【先行技術文献】
【特許文献】
【０００４】
【特許文献１】特開２００８−３０４０９９号公報
【発明の概要】
【発明が解決しようとする課題】
【０００５】
しかしながら、前記従来の構成では、開口５１と扉５３との間隙を小さくし空気の流通を少なくすることにより熱効率を高め加熱性を向上させているが、内筐体５０の両側面に設けた摺動穴５９は加熱室５２から開放状態であるので、摺動穴５９から加熱室５２の加熱した空気が加熱室５２外へ放出されるので熱効率が低下するという課題を有していた。
【０００６】
本発明は、前記従来の課題を解決するもので、加熱効率を高くし、加熱性に優れた電気加熱調理器を提供することを目的とする。
【課題を解決するための手段】
【０００７】
前記従来の課題を解決するために、本発明の電気加熱調理器は、遮蔽板が、扉が閉止状態において摺動穴を閉塞する構成としたものである。
【０００８】
これによって、摺動穴から加熱室の外へ放出される加熱した空気の流れを止めることにより、摺動穴からの熱損失を防止し加熱効率を高めることにより加熱性を向上することとなる。
【発明の効果】
【０００９】
本発明の電気加熱調理器は、加熱効率を高め、加熱性を高めることにより、省エネルギー化および調理時間を短縮することができる。
【図面の簡単な説明】
【００１０】
【図１】本発明の実施の形態１における電気加熱調理器の扉閉止状態の縦断面図
【図２】同電気加熱調理器の扉開放状態の縦断面図
【図３】同電気加熱調理器の正面図
【図４】同電気加熱調理器の扉閉止状態の部分断面平面図
【図５】同電気加熱調理器の扉開放状態の部分断面平面図
【図６】本発明の実施の形態２における電気加熱調理器の扉閉止状態の部分断面平面図
【図７】同電気加熱調理器の扉開放状態の部分断面平面図
【図８】従来の電気加熱調理器の縦断面図
【発明を実施するための形態】
【００１１】
第１の発明は、本体と、加熱室を形成し前面を開口する内筐体と、前記内筺体の前方下部に設けられた軸支部と、前記軸支部による軸支により回転自在開閉する扉と、前記扉の前記内筺体側に設けた網前方支持部と、前記内筺体の両側に設けられた摺動穴と、前後に摺動する網後方支持部と、前記網前方支持部と前記網後方支持部とにより支持され調理物を支持する網と、前記網後方支持部の前記内筐体の外方に設けられ前記扉が閉止状態において前記摺動穴を閉塞する遮蔽板とを備えた電気加熱調理器とすることにより、摺動穴を遮蔽板で閉塞することにより摺動穴からの熱損失を防止し加熱効率を高めることにより加熱性を向上させることとなり省エネルギーおよび調理時間を短縮することができる。
【００１２】
第２の発明は、特に、第１の発明において、遮蔽板は、本体側壁と前記遮蔽板との距離が、本体前方側が本体後方側より小さくして傾斜させて設け、摺動穴の周囲に、前記遮蔽板へ向けたガイドを備え、前記ガイドはその本体前方側の幅がその本体後方側の幅より小さくし、扉閉止状態において前記ガイド端部が前記遮蔽板と互いに当接することにより、扉の開閉動作において摺動穴と遮蔽板の接触面が摩擦しない動作となり、扉の開閉動作が円滑かつ摩擦音の発生を防止し、良好な扉の開閉を行うことができる。
【００１３】
第３の発明は、特に、第１の発明において、遮蔽板は、本体側壁と前記遮蔽板との距離が、本体前方側が本体後方側より小さくして傾斜させて設け、内筺体は摺動穴部分において、本体前方側の幅が本体後方側の幅より小さくし内筐体傾斜面を形成し、扉閉止状態において前記遮蔽板と前記内筐体傾斜面が互いに当接することにより、内筺体の側壁面自体で摺動穴を閉塞する遮蔽板との接触面を形成することとなり、摺動穴を閉塞する遮蔽板との接触面を拡大することが可能となり、摺動穴の閉塞の精度を高めることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気加熱調理器の扉閉止状態の縦断面図、図２は同電気加熱調理器の扉開放状態の縦断面図、図３は同電気加熱調理器の正面図、図４は同電気加熱調理器の扉閉止状態の部分断面平面図、図５は同電気加熱調理器の扉開放状態の部分断面平面図を示すものである。
【００１６】
図１から図５において、本体１の外郭は、側面と天面を構成する外板２４と後面を構成する後板２５と底面を構成する底板２６により構成し、本体１の前面に開口２を有する加熱室３を形成する内筐体４と、内筐体４の下部に設けられ本体１前方より着脱自在に収納
可能な調理物から排出される屑を受ける屑受皿１９と、内筐体４に配置した軸支部６により軸支され開口２を回動開閉し中央部に耐熱性のガラス窓１８と前面にハンドル２０を構成した扉５と、本体１の扉５の下方に設けられ加熱動作を制御する制御基板２２を内部に備えた操作表示部２１を配置している。
【００１７】
内筐体４内には、加熱室３内の温度を検知する温度検知手段２３と、上下から調理物を加熱する加熱手段として上ヒーター７と下ヒーター８を配置し、上ヒーター７と下ヒーター８の間には、調理物を載せる網９を、扉５の内筐体４側に設けた網前方支持部１０と内筐体４両側面に設けた内筐体４面を貫通する摺動穴１１を前後に摺動する網後方支持部１２とに固定し配置している。網９は扉５の開放により網前方支持部１０が前方へ移動することにより同様に前方へ移動し、このとき、網後方支持部１２は摺動穴１１内を後方から前方へ移動する。
【００１８】
軸支部６に対向する内筐体４には、扉５の下端の回動軌跡より大きな凹部１３を設け、扉５で開口２を閉じたとき、内筐体４と扉５の軸支部６以外の部分との間隙が、軸支部６での内筐体４と扉５の間隙より小さくなるように設定している。
【００１９】
また、網後方支持部１２には網後方支持部１２を本体後方側へ引きつける作用をするコイルバネ１４を接続しており、網９、網前方支持部１０との連結によりコイルバネ１４で扉５閉止時には扉５を開口２へ引きつける構成としている。網後方支持部１２には、内筐体４の外方で扉５が閉止状態で摺動穴１１を閉塞する位置に遮蔽板１５を備えている。
【００２０】
さらに、遮蔽板１５は、本体１側壁と遮蔽板１５との距離が、本体１前方側が本体１後方側より小さくして傾斜させて設けていることにより、傾斜面１６を備えており、また、傾斜面１６と対向する摺動穴１１にも摺動穴１１周囲の遮蔽板１５側に、その本体前方側の幅がその本体後方側の幅より小さいガイド２７（突起）を設け、ガイド２７（突起）により形成する傾斜面１７を備えており、扉５が閉止状態で傾斜面１６と傾斜面１７が当接し摺動穴１１を閉塞する構成である。
【００２１】
以上のように構成された電気加熱調理器について、以下その動作、作用を説明する。
【００２２】
まず、扉５の閉止時において、遮蔽板１５は、傾斜面１６と傾斜面１７の双方の面による当接により摺動穴１１を閉塞している。さらに、扉５の開放時には扉５の開放にあわせ網前方支持部１０、網９、網後方支持部１２が前方へ移動し、網９が前方へ移動することにより網９への調理物の出し入れが行いやすくなる。
【００２３】
このとき遮蔽板１５が網後方支持部１２の前方への移動に合せ同様に前方へ移動するのであるが、遮蔽板１５は傾斜面１６を備えていることにより摺動穴１１の傾斜面１７と接触しないため摩擦等を発生させることなく前方へ移動し、扉５が開放状態では摺動穴１１は遮蔽板１５で閉塞されること無く開放状態である。
【００２４】
調理時には扉５を閉止し上ヒーター７および下ヒーター８により加熱室３を加熱し、網９上に置いた調理物を加熱調理するのであるが、扉５閉止状態では遮蔽板１５により摺動穴１１を閉塞しているので、加熱室３内で加熱された空気が摺動穴１１から加熱室３の外へ放出されることはない。
【００２５】
以上のように、本実施の形態においては遮蔽板１５を備え、扉５閉止時に摺動穴１１を遮蔽板１５で閉塞することによって、加熱調理時に加熱室３の摺動穴１１からの加熱した空気の放出を防止することにより、加熱室３の熱損失を防止し加熱効率を高めることとなり加熱性を向上させ省エネルギー化および調理時間を短縮することができる。さらに、遮
蔽板１５に傾斜面１６および摺動穴１１に傾斜面１７を備えていることにより、扉５閉止状態以外は傾斜面１６と傾斜面１７は接触しないこととなり、扉５の開閉操作において傾斜面１６と傾斜面１７の接触による摩擦の発生を防止し、扉５の開閉動作を円滑かつ摩擦音の発生防止し良好に行うことができる。
【００２６】
（実施の形態２）
図６は、本発明の第２の実施の形態の電気加熱調理器の扉閉止状態の部分断面平面図、図７は同電気加熱調理器の扉開放状態の部分断面平面図である。
【００２７】
図６から図７において、基本構成は実施の形態１と同一であり、実施の形態１と異なる構成のみ説明する。加熱室３１を構成する内筐体３２の摺動穴３３を備える側壁面に、加熱室３１が本体後方側の横幅が本体前方側の横幅より大きくなるようにし、内筐体傾斜面３４を形成している。
【００２８】
以上のように構成された電気加熱調理器について、以下その動作、作用を説明する。
【００２９】
まず、扉５の閉止時において、遮蔽板１５は、傾斜面１６と内筐体傾斜面３４の面による当接により摺動穴３３を閉塞している。さらに、扉５の開放時には扉５の開放にあわせ網前方支持部１０、網９、網後方支持部１２が前方へ移動し、網９が前方へ移動することにより網９への調理物の出し入れが行いやすくなる。
【００３０】
このとき遮蔽板１５が網後方支持部１２の前方への移動に合せ同様に前方へ移動するのであるが、遮蔽板１５は傾斜面１６を備えていることにより内筐体傾斜面３４と接触しないため摩擦等を発生させることなく前方へ移動する。調理時には扉５を閉止し上ヒーター７および下ヒーター８により加熱室３を加熱し、網９上に置いた調理物を加熱調理するのであるが、扉５閉止状態では遮蔽板１５により摺動穴３３を閉塞しているので、加熱室３１内で加熱された空気が摺動穴３３から加熱室３１の外へ放出されることはない。
【００３１】
以上のように、本実施の形態においては遮蔽板１５を備え、扉５閉止時に摺動穴３３を遮蔽板１５で閉塞することによって、加熱調理時に加熱室３１の摺動穴３３からの加熱した空気の放出を防止することにより、加熱室３１の熱損失を防止し加熱効率を高めることとなり加熱性を向上させ省エネルギーおよび調理時間を短縮することができる。また、傾斜面１７が内筐体傾斜面３４による閉塞構成とすることにより、傾斜面１７と内筐体傾斜面３４の当接面を拡大することが可能となり、より確実に摺動穴３３を閉塞することができる。さらに、遮蔽板１５に傾斜面１６および内筐体傾斜面３４を備えていることにより、扉５閉止状態以外は傾斜面１６と内筐体傾斜面３４は接触しないこととなり、扉５の開閉操作において傾斜面１６と内筐体傾斜面３４の接触による摩擦の発生を防止し、扉５の開閉動作を円滑かつ摩擦音の発生防止し良好に行うことができる。
【産業上の利用可能性】
【００３２】
以上のように、本発明にかかる電気加熱調理器は、加熱室に構成された摺動穴を閉塞することにより加熱室の熱損失を防止することにより加熱効率を高めることとなり加熱性を向上させ省エネルギー化および調理時間を短縮することが可能となるので、オーブンやロースター等の用途にも適用できる。
【符号の説明】
【００３３】
１  本体
２  開口
３  加熱室
４  内筐体
５  扉
６  軸支部
９  網
１０  網前方支持部
１１  摺動穴
１２  網後方支持部
１５  遮蔽板
１６  傾斜面
１７  傾斜面
２７  ガイド
３１  加熱室
３２  内筐体
３３  摺動穴
３４  内筐体傾斜面
【図１】
2011106766.tif 000003
【図２】
2011106766.tif 000004
【図３】
2011106766.tif 000005
【図４】
2011106766.tif 000006
【図５】
2011106766.tif 000007
【図６】
2011106766.tif 000008
【図７】
2011106766.tif 000009
【図８】
2011106766.tif 000010